(57)【要約】  髪型を三次元提示するためのシステム及び方法、及び毛髪の長さを記号提示するための要素。本発明は、模型頭部（１）と、毛髪の長さを記号提示するための複数の長さ変更可能な要素（２、２ａ、２ｂ、２ａ’、２ｂ’）を備えた、髪型を三次元提示するためのシステムに関する。  本発明は又、相応する方法及び毛髪の長さを記号提示するための要素に関する。【選択図】図２
2010519991.tif 000002
【特許請求の範囲】
【請求項１】
模型頭部（１）と、毛髪の長さを記号提示するための複数の長さ変更可能な要素（２、２ａ、２ｂ、２ａ’、２ｂ’）を備えた、髪型を三次元提示するためのシステム。
【請求項２】
１つの長さ変更可能な要素（２、２ａ、２ｂ、２ａ’、２ｂ’）が少なくとも２つの部分要素（２１〜２３；２１ａ〜２１ｆ）を備え、該部分要素が毛髪の長さの記号提示を形成し、相互に接続される、請求項１に記載のシステム。
【請求項３】
前記長さ変更可能な要素（２、２ａ、２ｂ、２ａ’、２ｂ’）の長さが可逆的に変更可能である、請求項１又は２に記載のシステム。
【請求項４】
前記長さ変更可能な要素（２、２ａ、２ｂ、２ａ’、２ｂ’）がその縦軸（Ａ）方向に自身がその長さを可逆的に変更可能である、請求項１〜３のいずれか一項に記載のシステム。
【請求項５】
前記長さ変更可能な要素（２、２ａ、２ｂ、２ａ’、２ｂ’）が直線状に形成され、前記要素（２、２ａ、２ｂ、２ａ’、２ｂ’）の直線性が同じに保持された状態で、前記要素（２、２ａ、２ｂ、２ａ’、２ｂ’）の軸方向に長さ変更可能性が形成される、請求項１〜４のいずれか一項に記載のシステム。
【請求項６】
前記長さ変更可能な要素（２、２ａ、２ｂ、２ａ’、２ｂ’）が長さ変更時にその全体が場所的に固定されて前記模型頭部（１）に配置される、請求項１〜５のいずれか一項に記載のシステム。
【請求項７】
１つの長さ変更可能な要素（２、２ａ、２ｂ、２ａ’、２ｂ’）が少なくとも２つの部分要素（２１〜２３；２１ａ〜２１ｆ）を備え、該部分要素が互いに可動である、請求項１〜６のいずれか一項に記載のシステム。
【請求項８】
前記部分要素（２１〜２３；２１ａ〜２１ｆ）が縦軸（Ａ）方向に相対的に互いに可動である、請求項７に記載のシステム。
【請求項９】
前記長さ変更可能な要素（２、２ａ、２ｂ、２ａ’、２ｂ’）がテレスコープ状装置として形成されている、請求項７又は８に記載のシステム。
【請求項１０】
前記長さ変更可能な要素（２、２ａ、２ｂ、２ａ’、２ｂ’）が曲げ剛性が高い、請求項１〜９のいずれか一項に記載のシステム。
【請求項１１】
前記長さ変更可能な要素（２、２ａ、２ｂ、２ａ’、２ｂ’）が棒状に形成されている、請求項１〜１０のいずれか一項に記載のシステム。
【請求項１２】
前記長さ変更可能な要素（２、２ａ、２ｂ、２ａ’、２ｂ’）の外径が７ｍｍ以下、特に５ｍｍ以下、特に３ｍｍ以下である、請求項１１に記載のシステム。
【請求項１３】
１つの長さ変更可能な要素（２、２ａ、２ｂ、２ａ’、２ｂ’）が頭部表面（１ｂ）に対して略垂直に方向を定められている、請求項１〜１２のいずれか一項に記載のシステム。
【請求項１４】
１つの長さ変更可能な要素（２、２ａ、２ｂ、２ａ’、２ｂ’）が取り外し可能に模型頭部（１）に取り付け可能である、請求項１〜１３のいずれか一項に記載のシステム。
【請求項１５】
１つの長さ変更可能な要素（２、２ａ、２ｂ、２ａ’、２ｂ’）が模型頭部（１）に一体化されている、請求項１〜１４のいずれか一項に記載のシステム。
【請求項１６】
１つの長さ変更可能な要素（２、２ａ、２ｂ、２ａ’、２ｂ’）の長さ変更及び／又は能動ポジション及び／又は受動ポジションの調節が自動で制御可能である、請求項１〜１５のいずれか一項に記載のシステム。
【請求項１７】
長さ測定要素（８）を含んでいる、請求項１〜１６のいずれか一項に記載のシステム。
【請求項１８】
前記長さ測定要素（８）が柔軟に形成されている、請求項１７に記載のシステム。
【請求項１９】
各長さ変更可能な要素（２、２ａ、２ｂ、２ａ’、２ｂ’）に１つの長さ測定要素（８）に配置されている、請求項１７又は１８に記載のシステム。
【請求項２０】
１つの長さ測定要素（８）が少なくとも一部範囲が中空の長さ変更可能な要素（２、２ａ、２ｂ、２ａ’、２ｂ’）に割り当てられている、請求項１９に記載のシステム。
【請求項２１】
１つの長さ測定要素（８）が、割り当てられた長さ変更可能な要素（２、２ａ、２ｂ、２ａ’、２ｂ’）に対して相対的に互いに可動である、請求項１９又は２０に記載のシステム。
【請求項２２】
前記長さ測定要素（８）が、頭部表面（１ｂ）とは反対を向いた割り当てられた１つの長さ変更可能な要素（２、２ａ、２ｂ、２ａ’、２ｂ’）の端部で、前記長さ変更可能な要素（２、２ａ、２ｂ、２ａ’、２ｂ’）から伸びている、請求項２１に記載のシステム。
【請求項２３】
少なくとも１つの参照髪型を保存する電子式メモリ装置（６）を備えている、請求項１〜２２のいずれか一項に記載のシステム。
【請求項２４】
長さ変更可能な要素（２、２ａ、２ｂ、２ａ’、２ｂ’）が制御ユニット（５）によって制御され、選択された参照髪型に応じて割り当てられた長さに自動的に調節可能である、請求項２３に記載のシステム。
【請求項２５】
１つの長さ変更可能な要素（２、２ａ、２ｂ、２ａ’、２ｂ’）が少なくとも一部範囲が光を透過する素材で形成されている、請求項１〜２４のいずれか一項に記載のシステム。
【請求項２６】
１つの長さ変更可能な要素（２、２ａ、２ｂ、２ａ’、２ｂ’）が照明可能である、請求項２５に記載のシステム。
【請求項２７】
画像撮影／画像処理システムを含んでいる、請求項１〜２６のいずれか一項に記載のシステム。
【請求項２８】
前記画像撮影／画像処理システムが少なくとも１つの光学検知ユニット（１０、１１）と１つの演算ユニット（９）を備えている、請求項２７に記載のシステム。
【請求項２９】
前記画像撮影／画像処理システムが実際の頭部（Ｉ）におけるヘアカット経過のビデオを録画するために形成され、該画像撮影／画像処理システムがヘアカット経過を保存可能である、請求項２７又は２８に記載のシステム。
【請求項３０】
前記画像撮影／画像処理システムが模型頭部（１）における髪型提示の経過のビデオを録画するために形成され、該画像撮影／画像処理システムが経過を保存可能である、請求項２７乃至２９のいずれか一項に記載のシステム。
【請求項３１】
実際の頭部（Ｉ）で実施されたヘアカット経過と、模型頭部（１）でのヘアカット経過の提示の進行を比較分析するために形成されている、請求項２９又は３０に記載のシステム。
【請求項３２】
長さ変更可能に形成された、毛髪の長さを記号提示するための要素。
【請求項３３】
複数の長さ変更可能な要素（２、２ａ、２ｂ、２ａ’、２ｂ’）が、固有の提示すべき髪型に応じて、及び長さ変更可能な要素（２、２ａ、２ｂ、２ａ’、２ｂ’）が模型頭部（１）に配置されている位置に依存して、固有の毛髪の長さを記号提示するためにそれぞれ調節される、髪型を三次元提示するための方法。
【発明の詳細な説明】
【技術分野】
【０００１】
本発明は、髪型を三次元提示するためのシステム及び方法に関する。本発明はまた、毛髪の長さを記号提示するための要素に関する。
【背景技術】
【０００２】
特許文献１から、ヘアスタイルのための実演用模型頭部が公知である。毛髪に対応する模型頭部の面範囲には面ファスナーが付けられ、そこへは、複数の、それぞれ１つの毛束に相応する毛束モデルピースがそれぞれ１つのフリース帯アタッチメントを使用して固定できるようになっている。毛束モデルピースは、旗状の平らなパーツから形成されており、すべて略同じ形状で実現される。この実施形態の欠点は、非常に大きな寸法の要素を使うために髪型の提示が比較的不正確にしかできないということにある。その上に、この大きな、そのために比較的重い毛束モデルピースは十分には固定できない。特に、後頭部又はうなじに取り付けられたモデルピースはそのせいで比較的頻繁に落ちるか、又は少なくとも面ファスナーからはがれてしまって、もはや希望のヘアスタイルを提示するためには役に立たない。
【０００３】
その他に、特許文献２から髪型の三次元提示のためのシステムが公知である。模型頭部には、定義された不変の領域に複数の穴が開けられ、その穴の中に、小分けした毛束を模した板状要素を差し込むことができる。板状要素は、それぞれ２つの差し込み突起部を備えている。この公知のシステムでは、非常に不十分な提示しか行えない。なぜなら、ここでも髪型はこの差し込み可能要素の大きさと造形的な限界のために非常に不正確に記号化されることしかできないからである。さらには、差し込みメカニズムが固有に形成されているために、頭部の特定の位置にしか要素を取り付けられないので、このシステムの柔軟性は限定されたものとなっている。頭部の造形が丸く膨らんでいるので、固定穴と要素を造形はここでも可用性を大きく制限している。この幾何学的規則性のゆえに、前もって作られた要素は頭部の固有の位置にしか取り付けることができない。その上、ここでも位置を安定させてこの要素を取り付けることは条件によって制限されてしまう。特に何度も使用した場合、磨滅およびそれに類似した消耗現象が生じるために、特に後頭部やうなじの範囲に取り付ける場合に要素がしょっちゅう落ちてしまう。その他、異なった髪型を提示できるようにするためには多数の様々な要素を準備する必要がある。そのため、製造費用がかかるだけでなく、必要な多数の要素を用意したり保管したりするために相当なスペースが必要となる。
【０００４】
一方で美容師職の見習い生や継続教育研修者に異なる髪型にカットしながら小分けした毛束を提示するほかに、他方で髪型の基礎を成している、頭部の様々な場所によって異なる毛髪の長さを彼らが知ること又はそれを想像できることが重要である、
【先行技術文献】
【特許文献】
【０００５】
【特許文献１】独国実用新案第８０２３２５７Ｕ１号明細書
【特許文献２】独国特許出願公開第１０２００５０５３５０７Ａ１号明細書
【発明の概要】
【発明が解決しようとする課題】
【０００６】
本発明の課題は、髪型の立体的提示をより正確に、低費用で実施できるシステムと方法を作り出すことである。さらに、より正確に毛髪の長さを提示することができる要素を実現することである。
【課題を解決するための手段】
【０００７】
この課題は請求項１の特徴を備えるシステム、及び請求項３３の特徴を備える方法によって解決される。さらにこの課題は請求項３２に従った要素によって解決される。
【０００８】
発明に従った、髪型を三次元提示するためのシステムは、人間の頭部を模した、人造の模型頭部として形成された模型頭部を備えている。さらにこのシステムは、毛髪の長さの記号提示のために形成されている長さ変更可能な複数の要素を備えている。これら複数の長さ変更可能な要素は、頭部の様々な箇所で１本又は複数本の髪の固有長を提示することができる。
【０００９】
これに関連して、美容師職の見習い生又は継続教育研修者は基本的に、特定の髪型を仕上げるために頭部の個々のゾーンで毛髪の長さを正しく計測できることが重要である。
【００１０】
特に、これに関連して、美容師職に従事する人が髪型の構造を想像可能であることが重要である。ある髪型の構造において、これらの髪が頭皮に対してそれぞれ９０度に配列された場合に、頭部の丸みを越えて髪の長さ配置が理解される。１つの構造とは従って、髪の先端をぴんと張り、頭部表面に対してそれぞれ９０度に配置した表面を示すものである。
【００１１】
発明に従ったシステムにより、髪型の三次元提示をはるかに正確に行うことが可能になり、特に個々の髪型について、それぞれ固有の頭部箇所で個別の髪の長さを提示することができるようになる。要素の長さ変更が可能なことによってはるかに正確になり、さらにはこれらの要素が複数あることによって髪型の構造を大まかにではなく、細かく構造化して示すことができる。しばしば複雑すぎる髪型の構造を見習い生や継続教育研修者のためにはるかに正確に提示することができ、そのことによって全体提示もより正確に行うことができる。これによって観察する際に全体像がはるかによくわかり、髪型提示の完成状態において、この正確になった全体像をよりよく追体験して理解し、覚えることができるようにもなる。
【００１２】
特に見習い生及び継続教育研修者にとっては、これによって学習結果をはるかに良好にすることができる。
【００１３】
好ましくは、長さ変更可能な要素は少なくとも２つの部分要素を備え、これらの部分要素は毛髪の長さを記号提示するために形成されており、相互に結合されている。これによって長さ変更可能な要素がより柔軟に使用できる。また特にこれによって固有長がより正確に調節できるようになる。
【００１４】
特に、長さ変更可能な要素の長さを可逆的に変更可能にするとよい。これによって要素は様々な方法で使用することができ、異なる長さに任意に何度でも調節することができ、再度変更することができる。高い機能性を持つと同時に、これによって破壊ぜずに繰り返し可能な長さ変更の効果を任意に何度でも繰り返すことも可能になる。
【００１５】
特に、長さ変更可能な要素は、それ自身が長さを変更でき、特に破壊することなくに可逆的に変更可能である。特に、長さ変更可能な要素がその縦軸方向に長さ変更が可能なように形成され、特に可逆的に変更が可能である。従って長さ変更可能な要素の軸方向には要素の軸方向長さが短縮又は延長できるよう形成される。長さ変更可能な要素は、特に直線状に形成され、直線状に造形された要素が可逆的に長さを変更でき、その際特に直線性を保持又は維持しながら長さ変更を調節することができる。従って直線状の要素は特にそのために棒状であり、同じ方向を向いて直線状に伸びる要素の軸方向の長さを、可逆的に調節することができる。長さ変更可能な要素は、特に場所的に固定して模型頭部に取り付けられ、長さ変更時に要素の位置は模型頭部に対して全体として同じである。その場合には要素自身の長さ調節だけが備えられ、模型頭部に対して要素が全体として相対的に動くことはない。こうして模型頭部に対して要素を相対的に全体としてずらす必要なしに、特に頭部表面上に伸びた要素の長さを正確に、そして任意に何回でも繰り返すことのできる正確さで、要素及び／又は模型頭部を摩耗することなく調節することができる。その上に、これによって多数の同じように形成された要素を使用することができる。なぜなら、それぞれ必要に応じて個別にその軸方向長さを調節することができるからである。これによって作成が簡単になるばかりか、多数の異なる要素はもはや必要でなくなるためにシステム全体を単純に形成することができる。しかも、それゆえに模型頭部内部に複雑な差し込み用の空洞、特に模型頭部へ大幅に要素を差し込むための空洞を形成する必要がなくなる。このような長さ変更可能な要素を模型頭部に、特に少なくとも部分的に中空の模型頭部に差し込む深さは、最小限に形成することができ、その場合には要素の長さ変更時にも差し込む深さは不変である。模型頭部も、これによって単純に形成することができる。模型頭部は、例えば、中実の頭部として内部に空洞なしに形成することができ、それによって作成が簡単になり、安上がりに実施することができる。さらにそれによって模型頭部に幅広く差し込む多数の要素、さらには要素の差し込みや引き出しを行うために模型頭部にさまざまな多数の場所と経路が必要になり、これら要素が互いに邪魔をするという問題も解決できる。全体として要素を模型頭部に対して相対的に動かす場合、例えば差し込む及び引き出すことによってしか調節できない場合は、模型頭部内でこのような邪魔し合いが生じることがある。これによって一方で操作性の良さが制限され、また、さまざまなヘアスタイルを提示するための全般的な使いやすさが狭い範囲に限定されてしまう。さらにこの要素は、模型頭部内部で例えば引っかかったり互いにゆがんだりして、その結果ここでもまた摩耗が生じる。しかもこのような実施形態では、頭部表面の側部、例えば耳の付近において、模型頭部に対して相対的に全体としてしか動かすことができないというこのような要素の実施形態が不可能であるか又は非常に短い要素でしか実施できないという欠点がある。なぜなら、要素が模型頭部に対して横向きにその内部へ伸び、頭部幅が小さいために非常に短くしか形成できないためである。頭部高さも同様に制限されているために上から挿入した要素にもこのことが当てはまる。このために長髪のヘアスタイルは全く提示できないか、又は不十分にしか提示できない。その他、このような横向きの区間は少なくとも上から来る要素を妨げる。これによって非常に制限された数だけしかこのような要素を使用することができず、模型頭部内部で互いに妨げ合うことを制限できるようにするために模型頭部への要素の挿入位置をあらかじめ設定し、互いに調節しなければならない恐れがある。
【００１６】
このような長さ変更可能な要素がテレスコープ状装置として形成され、少なくとも２つの部分要素が縦軸方向に相対的に互いに可動であることが可能であるとよい。このテレスコープ状装置により様々な長さに調節が可能となり、それによって長さ変更可能な要素の場所的な位置決めとは無関係に、模型頭部の場所によって異なる多数の毛髪の長さを記号的に提示することができる。
【００１７】
長さ変更可能な要素の長さ変更は連続的に可能であることが好ましい。それによって任意の長さに非常に正確に調節することが可能になる。しかし、長さ変更可能な要素を不連続に長さ調節するよう形成することもでき、それによってそれぞれ複数の固有の長さがあらかじめ設定されて提示されることができてもよい。少なくとも２つの部分要素を備えた長さ変更可能な要素の場合、このような実施形態においては縦軸方向の動き、ひいては長さ調節を、固有にあらかじめ設定されたラッチ段階であらかじめ設定しておくことができる。
【００１８】
しかし、長さ変更可能な要素の可逆的な長さ調節は、少なくとも２つの破壊せずに取り外し可能な要素によって与えられてもよい。このような実施形態では、連結装置によって第１の部分要素と少なくとも１つの第２の部分要素とを互いに接続し、それによって長さ変更可能な要素の長さを個別に調節することができる。これを再度変更する場合は、少なくとも１つの部分要素を再度取り外し、１つ又は複数の別の部分要素を差し込むことができる。部分要素は、そのような実施形態においてはすべて同じ長さを備えている。しかし、異なる長さを備えていてもよい。これによって、異なった毛髪の長さを提示するという点において、柔軟性がさらに高まり、長さ調節がより正確になる。
【００１９】
部分要素は例えば相互にボルト止めすることで、破壊せずに取り外し可能に接続することができる。それに加えて、部分要素は雄ネジを備え、この雄ネジは別の部分要素の雌ネジにはめ込むことができる。
【００２０】
しかしまた、長さ変更可能な要素は単に可逆的に長さを変更することが可能でもよい。そのような実施形態において、例えば少なくとも１つのあらかじめ定義された規定破断個所を備えたワンピース式の長さ変更可能な要素が形成されるとよい。それによってこの要素の長さを短縮する場合は、規定破断個所で少なくとも２つの部分要素に分離させることができる。この分離は例えば簡単な折り取りによって可能である。これによっても要素の個々の長さ調節が可能になる。
【００２１】
分離された両方の部分要素は、さらに好ましくは再度元の要素として毛髪の長さの記号提示に使用することができる。ここでも、そのような長さ変更可能な要素の部分要素は全て略同じ長さを備えているとよい。しかし、少なくとも２つの部分要素が異なる長さを備えるように規定破断個所が配置されている、ワンピース式の長さ変更可能な要素が形成されてもよい。規定破断個所を備えたそのような長さ変更可能な要素の部分要素は、その長さが１０ｃｍ以下、特に５ｃｍ以下、特に３ｃｍ以下、特に１ｃｍ以下であってもよい。
【００２２】
長さ変更可能な要素２つの可逆的な、従って破壊せずに分離可能な、及び再度組み立て可能な部分要素を備えた、プラグセットに類似した実施形態では、この長さは上述の寸法決めを備えることができる。
【００２３】
長さ変更可能な要素が相対的に互いに可動な少なくとも２つの部分要素を備えている場合は、テレスコープ状装置のほかに転回装置による実施形態を備えていてもよい。そのような実施形態では、両方の部分要素が１つの転回ヒンジで接続されていてもよい。これによって折り尺（折り畳みのできる物差し）に似た実施形態も可能である。
【００２４】
好ましくは、長さ変更可能な要素は、曲げ剛性が高くなるよう形成される。曲げ剛性が高い実施形態とは、長さ変更可能な要素に縦軸方向以外の方向に加えられる動きに対して剛直であるということと理解される。また、曲げ剛性が高いとは、長さ変更可能な要素が単に重力が加えられただけではほとんど曲がらないとも理解される。
【００２５】
長さ変更可能な要素が棒状に形成されると特に有利である。そのような実施形態により、髪及び毛髪の長さの記号的な提示を、特に追体験して理解しやすく、より写実的に行うことができる。その際、長さ変更可能な要素の外径が７ｍｍ以下、特に５ｍｍ以下、特に３ｍｍ以下であると特に有利である。
【００２６】
長さ変更可能な要素が１つの部分要素だけから形成されている場合は、これが非常に小さい外径をもつようにしてもよい。相対的に少数の髪を使用することによって髪又は髪束の記号的提示を改善することと並んで、それによってそのような長さ変更可能な要素を非常に多数模型頭部に取り付けることも可能になる。それによって髪型の立体的提示の正確さもさらに改善することができる。とりわけそれによって、追加取り付け可能な複数の長さ変更可能な要素を使用して、髪型の構造も改善して提示することができる。
【００２７】
しかし、縦軸方向に相対的に互いに可動の、少なくとも２つの部分要素を備えた長さ変更可能な要素の実施形態は、比較的小さい外径を備えた棒状の要素によって可能であってもよい。特にこれに関して形成されたテレスコープ状装置では、部分要素が縦軸方向に相互に入り込んで可動であり、比較的小さい外径で作成することができる。従って長さ変更可能な要素がテレスコープ状形成の場合、比較的細い棒にすることも可能であり、それによってここでも模型頭部へ取り付け可能な長さ変更可能な要素の数を非常に多くすることができる。特に長さ変更可能な要素のそのような棒状の形成は、他の実施形態よりも原則的に数密度がはるかに高い。
【００２８】
棒状の、長さ変更可能な要素はその横断面に角がないように、特に円形に形成されるのが好ましい。
【００２９】
しかし原則的には、長さ変更可能な要素は棒状ではなく、別の形状に形成されてもよい。特に、長さ変更可能な要素が板状に形成され、異なる輪郭形状を持っていてもよい。そのような実施形態によれば髪型の立体的提示の正確性は劣ってしまうが、長さ変更は可能であるので必要に応じて十分に提示することができる。
【００３０】
特に、長さ変更可能な要素が頭部表面に対して略垂直に向くように、模型頭部に、特に毛髪に相当する面範囲に配置される。この実施形態では髪型の構造提示も可能になる。なぜなら長さ変更可能な要素が個別に長さ調節されること並んで、長さ変更可能な要素の頭部表面への、又は頭部表面内への合流がそれぞれ略垂直に行われるからである。
【００３１】
有利な実施形態では、長さ変更可能な要素は破壊せずに取り外し可能に模型頭部へ取り付け可能である。そのような実施形態では、長さ変更可能な要素を頭部表面に取り外し可能に固定してもよい。例えばここでは磁石、面ファスナー（ループ・フック結合）又はそのようなものを使用して取り付けることができる。破壊せずに取り外し可能な取り付けの場合、頭部の、少なくとも人間の頭部では毛髪が生えている部分に相当する面範囲を、およびそれによって限定されたボリューム範囲だけ、弾性素材で形成することもできる。これに関連して弾性素材は、長さ変更可能な要素の差し込みを保証するものが企図される。その上、この素材の中で長さ変更可能な要素位置が正確に保持されることも保証するように素材が形成されるのが好ましい。特に、弾性素材が長さ変更可能な要素を取り外した後に自然に閉じるように形成されるのが有利である。特にそのような実施形態では、模型頭部の素材、及び特に人間の頭部では毛髪が生えている面範囲で限定されるボリューム範囲は、スチロポール又は発泡材又はそのようなものから形成されてよい。同様に、この素材は適切な造形粘土又はそのようなものでよい。
【００３２】
しかし、さらに模型頭部内に前もって作られた多数の開口部が形成され、その中にそれぞれ長さ変更可能な要素を差し込めるようにしてもよい。そのような実施形態では、頭部は木材、金属、プラスチック、又はそのようなもので形成されてよい。またガラス、特に破損に強いガラスから形成されてもよい。
【００３３】
好ましくは、長さ変更可能な要素が模型頭部に一体化されてもよい。そのような形成によって、複数に長さ変更可能な要素を模型頭部のあらかじめ定義された基本的な表面範囲に配置することができる。特にそのような一体化された構成では、有利には長さ変更可能な要素が数多く存在し、模型頭部から落ちることがなく、それゆえに失われることがないので有利である。その上、長さ変更可能な要素は、そのような実施形態において常にすぐ使用することができ、それによって置き忘れ又は紛失が防止される。
【００３４】
特に、好ましくは、長さ変更可能な要素が模型頭部に一体化されて配置され、通常の使用では模型頭部から外すことはできない。しかし、修理時又は交換時に、長さ変更可能な要素を破壊せずに模型頭部から取り外すことができるのが好ましい。例えば、ここでは、そのような長さ変更可能な要素の交換又は取り付け時にすばやく手間をかけずに解除することのできるロックが備えられているとよい。このロックは通常の調節および要素の長さの変更の際には外れず、それゆえに意図せずに外れてしまうことが防止可能であるように形成されるのが好ましい。しかし、長さ変更可能な要素のそのような一体式配置においては、要素をボルト止めするとよく、特に模型頭部内の穴にボルト止めするとよい。
【００３５】
本システムは、長さ変更可能な要素の長さ変更及び／又は長さ変更可能な要素の能動ポジション及び／又は受動ポジションの調節を自動的に実施できるように形成することが好ましい。能動ポジションとは、特に長さ変更可能な要素を完全に下げた状態を意味するが、操作者が前側の握り部位をつかむことができ、長さ変更可能な要素をこれを使って例えば手動で引き出すことができる。受動ポジションとは、長さ変更可能な要素を模型頭部内に完全に埋没させた配置を意味する。有利にはその状態では握り部位もつかむことはできない。そのような自動制御される能動ポジション又は受動ポジションの調節は、非常に多数の長さ変更可能な要素を備えたシステムで特に有利である。そのうえ特に、これが棒状に形成されており、テレスコープ状に設計されている場合は、全て同時／又は互いに時間的にずれて、能動ポジション又は受動ポジションにすることができるとよい。これによってシステムを非常に迅速に使用可能状態に準備することができ、他方で終了及び片づけをスムーズ行うことができる。その上、それによって長さ変更可能な要素の損傷も大幅に低減することができる。長さ変更可能な要素事態が非常に細い場合、特に非常に細い棒の場合は、例えば操作者が比較的大きな力をかけて、比較的長く引き出された長さ変更可能な要素を手動で受動ポジションにスライドさせようとする時に、それによって折れたり曲がったりすることを防止することができる。その上、そのような手動方法では、多数の長さ変更可能な要素を順々に再度押し込んで片付いた状態にするためには、場合によってはより長い時間が必要となる。このポジション調節の自動制御により、そのための時間をはるかに短縮できる。
【００３６】
特に長さ変更可能な要素の長さ調節又は長さ変更が自動で制御されてもよい。これによって個々に定義された又はあらかじめ設定可能な長さ変更可能な要素の長さがシステムによって自立的に調節される。実演目的及び練習目的のために、これによって髪型の提示をさらに改善することができる。特に、これによって正確に何度も繰り返し、１つの同じ髪型を正確に長さ変更可能な要素を使って提示することができる。個々の毛髪の長さはこれによっていつでも追体験理解し得るように調節でき、迅速に目的に合わせて正しく実演をすることができる。
【００３７】
特にこのポジション調節及び／又はこの長さ調節の自動制御のためのシステムは、長さ変更可能な要素を制御する電子制御ユニットを備えているとよい。これはそれらの長さを、例えば電気モータ又は類似物のようなモータドライブユニットによって変更することができる。
【００３８】
とりわけ、そのような電子制御では、操作者によって操作可能な１つ又は複数の操作要素をそなえているとよい。これらの操作要素の操作に依存して、異なる操作段階に導いたり又は異なる操作段階を実施したりすることができるとよい。操作要素、例えばボタン、回転スイッチ／プッシュスイッチ、タンブラスイッチ又はしかしタッチスクリーンパネルも、模型頭部に配置されるとよい。
【００３９】
しかし同様に、このシステムを無線操作で動かすこともできる。
【００４０】
好ましくはこのシステムは長さ測定要素も備えている。この長さ測定要素は特に頭部表面にある固有の点の距離測定のために、毛髪の長さを記号的に提示して頭部表面上に９０度の角度で突出した長さ変更可能な要素の先端まで引き出すことができる。このような長さ測定要素は、例えば、見習い生又は継続教育研修者が異なった頭部箇所で毛髪の長さを調節しやすくし、それによって練習システムで毛髪の長さ調節を練習する際の正確さを高めることができる。
【００４１】
長さ測定要素は、システムの独立した追加部分として提供するとよい。
【００４２】
特に、長さ測定要素を柔軟に形成すると有利である。これによって長さを細かく測定することができる。例えば、長さ測定要素として糸要素、針金要素又は鎖又はそのようなものを備えることができる。
【００４３】
いずれの長さ変更可能な要素にも１つの長さ測定要素が割り当てられていてよい。これは例えば、長さ変更可能な要素と接続されていてよい。この長さ測定要素の取り付けは、例えば長さ変更可能な要素の外側に備えられていてよい。
【００４４】
長さ測定要素が長さ変更可能な要素と一体化して形成されるのが好ましい。
【００４５】
好ましくは、長さ測定要素を少なくとも部分的に、中空に形成された長さ変更可能な要素内に配置するとよい。その場合に、長さ変更可能な要素がテレスコープ状の棒装置を形成している場合、少なくとも部分要素の前部分が中空に形成されており、その中に長さ測定要素を配置するとよい。その場合に、長さ測定要素が長さ変更可能な要素の前側の先端又は前側の終端から伸び、それゆえに操作者が常にすぐに使えるように存在しているとよい。そこで長さ変更可能な要素が引き出されて使用されているか又は例えば模型頭部内に押し縮められた状態にあるかどうかには関係なく、それとは別個にそして無関係に長さ測定要素を使用することができる。柔軟な要素として形成されている場合、現在使用されていない長さ変更可能な要素からそれを引き出し、それによって別の、すでに特定の固有の長さに調節された長さ変更可能な要素の外側の先端まで、現在使用していない長さ変更可能な要素から非常に正確に距離測定を実施することができる。それによって長さ変更可能な要素が合流している頭部表面の点から、固有長にすでに調節されている他の長さ変更可能な要素の先端までを測定することができる。
【００４６】
特に、そのような一体型の実施形態では、長さ測定要素と長さ変更可能な要素との間で、それゆえにコンポーネント相互の相対的な動きとは関係なく、１つの髪型提示の固有の相を保証することができる。コンパクトで高機能な構造の他に、これによって構成部品数の少ない実施形態をも保証することができる。その上、必要なコンポーネントは常にすぐに使える状態で、正しい位置にあり、探したり又は目的に合わせて取り付けたりする必要はない。さらには、長さ測定要素はこの実施形態によって摩耗及び汚れからも保護される。
【００４７】
長さ測定要素は、１つの実施形態において柔軟な部品として一種の鋼索装置として備えられるとよい。こうして、長さ測定要素が操作者によって引き出された場合に、手を離すと自動的に巻き取られることができる。しかし、特に引き出す時にロック装置を作動させることもでき、長さ測定要素の引き出された長さが、長さ測定要素から操作者が手を離した場合も、そのロック装置が、不可避に自動的に巻き取りが行われないようにしてよい。長さ測定要素の調節された長さは、それゆえに要素から操作者の手が離れても保持される。このロック装置を解除するためには、例えば長さ測定要素を短時間ぐいっとひっぱることで実施できるようにするとよい。
【００４８】
さらに、長さ測定要素が引き出されておらず、割り当てられた長さ変更可能な要素が操作者によって引き出されるか自動的に出てきている場合は、好ましくは長さ測定要素が機能を損なわれずに自動的に一緒に引き出される。それゆえに、単に長さ変更可能な要素が作動されるか、又は長さが変更され、ロック又はそのようなもので長さ測定要素が妨害されることがない。
【００４９】
好ましくはシステムが、記録された又はシミュレートして作成された髪型を保存することのできる電子式メモリ装置を備える。特に、固有の髪型のために髪のそれぞれの長さが個々の固有の頭部箇所で保存されるとよい。こうして、固有に保存された参照髪型の毛髪の長さが提示可能になる。これは、固有の参照髪型を選択することにより実施され、それによって個々の長さ変更可能な要素が保存された長さまで引き出されることが可能になる。１つの参照髪型を選択するには、模型頭部にある操作要素か、又はリモコン装置、又はその他の操作装置によって実施することができる。参照髪型は再び消去することができるか、又は参照髪型を新規に又は追加して保存することができるとよい。そのために、各頭部箇所の、各長さ変更可能な要素の個別の長さを、操作要素を介して、又はボタン操作で、又はその他の方法、例えば音声入力によって、個別に入力することができるとよい。しかし、ビジュアルに認知された参照髪型の髪の長さが、画像データを適切なソフトウェアを入れた演算ユニット内で処理することによって自動的に確定され、固有の髪型のために保存されるとよい。
【００５０】
練習目的でも実演目的でも、それによって非常に迅速で正確に複数の長さ変更可能な要素を調節することが可能になる。これによって異なった人員グループにおいて、高い正確さで髪型の立体的提示が何度も繰り返し行え、特に各毛髪の長さを個々の頭部箇所で説明することができる。これによって、学習効果も高めることができ、何度も正確に観察し、髪型を追体験して理解することができるようになる。
【００５１】
特に基本的に自動の実施形態の場合は、見習い生が自主的に、常に監視を行わなくても又は同時に実際の参照髪型を教師が作成しなくても、異なる髪型をモデルシステムで練習することも可能になる。これによって教育も個別化し柔軟化することができる。これによって、教官が一緒に参照髪型を人間の頭部で実施し、同時に見習い生がモデルシステムでその髪型を提示し、そのために長さ変更可能な要素を固有に調節する必要はもはやなくなる。むしろ、この自動的な具現化によって、いつでも自主的に練習することができるようになる。
【００５２】
好ましくは、長さ変更可能な要素を制御ユニットによって制御し、選択した参照髪型に依存して自動的に割り当てられた長さに調節できる。これに関連して、それによって選択した参照髪型の三次元提示を実施できるように、見習い生はまず長さ変更可能な要素を個々の頭部箇所において個別の長さに調節するとよい。完全な提示が見習い生によって完結して初めて、操作要素又はそのようなものを介して、選択した参照髪型に合わせて長さ変更可能な要素の個々の参照長さに自動的に調節することができる。それによって、学習効果をさらに改善することができる。なぜなら全体において、見習い生のどの箇所が各参照長さから逸脱しているかが直接認識できるからである。
【００５３】
特に、見習い生がモデルシステムに提示した髪型も同様に保存するとよい。そのために、電子式センサが長さ変更可能な要素の各引き出し長さを検知し、保存するとよい。
【００５４】
操作要素の簡単な操作で、参照髪型と、見習い生が達成した結果を交互に切り替えることもでき、それゆえに何度でも繰り返してその違いを交互提示で示すことができる。何度も交互に繰り返して、参照髪型と見習い生の習作を交互に切り替えることができ、それゆえに長さ変更可能な要素を長さ調節した際に起こり得る誤りを示すことができる。これによってもまた学習効果が改善され得る。
【００５５】
しかし同様に、提示すべき保存された参照髪型を選択した後、操作者が長さ変更可能な要素を特定の長さに調節するモードに設定し、それからすぐに続けてこの長さ変更可能な要素が選択した参照髪型の参照長さに調節される比較モードに切り替えられるとよい。見習い生又は練習者も、固有の長さ変更可能な要素を提示すべき参照髪型に関して自分が正しい長さに調節したかどうかを、すぐに認識することができる。
【００５６】
その上、例えば見習い生の第１の習作を固有の参照髪型の提示のために保存し、時間的に後のいつかある時にその参照髪型の別の習作を実施するとよい。そうすれば、見習い生の両方の習作の相違を自動的に提示することもできる。それによって例えば改善又はポジティブな学習成果を認識することができる。
【００５７】
長さ変更可能な要素は例えば木材、金属、又はプラスチックから形成されるとよい。特に、長さ変更可能な要素が少なくとも部分的に光に対して透明であるとよい。そのうえ、このシステムが１つ又は複数の光源を備え、１つ又は複数の長さ変更可能な要素を照明可能であるとよい。
【００５８】
長さ変更可能な要素は、少なくとも部分的に光導波路として形成されるとよい。光源としては、例えば、発光ダイオード又は白熱電球を備えているとよい。特に異なる呈色を可能にする光源を備えているとよい。しかし同様に、例えば異なる光色を形成する発光ダイオードを光源として備えているとよい。これによって練習システム及び実演システムによって個別の髪色を提示することができる。
【００５９】
さらにその趣意で、２つの異なる呈色をあらかじめ設定した照明が練習目的で備えられているとよい。こうして例えば、参照髪型の提示に関して、正しい、又は略正しい長さに引き出された長さ変更可能な要素を緑色に照明可能にすることができる。間違った長さに調節された長さ変更可能な要素は、例えば赤く照明される。この実施形態により、起こりうる誤り又は逸脱を、より直感的に提示することができるようになり、見習い生が立体的提示をよりよく追体験して理解できる。
【００６０】
少なくとも２つの部分要素を備えた長さ変更可能な要素において、各部分要素に独立した光源が割り当てられ、各部分要素が別々に照明可能であってもよい。このような実施形態により、長さ変更可能な要素の、参照長さと調節された長さとの間で実際に逸脱した長さだけを色によって特徴づけることが可能になる。
【００６１】
１つの長さ変更可能な要素に３つの発光ダイオードを割り当て、その中の１つが赤い光色の光線を、２つ目が緑の光色の光線を、３つ目が青の光色の光線を生成するように形成してもよい。この発光ダイオードの各制御に従って、光の混合によって任意の色を生成することができる。
【００６２】
好ましくはこのシステムは画像撮影／画像処理システムを備えている。これによって参照髪型をビジュアルに録画することが可能になり、この録画を保存して練習目的で選択することができる。さらに、このような画像撮影／画像処理システムによって見習い生の練習経過をビジュアルに確認することができる。これによって誤り分析又はそのようなものをより正確に行うこともでき、学習成果を改善することができる。とりわけ、これによって練習経過を何度も要約して再述し、追体験して理解することができる。また後処理目的のためにも非常に有利である。
【００６３】
好ましくは、画像撮影／画像処理システムは少なくとも１つの光学検知ユニットと１つの演算ユニットを備えている。光学検知ユニットとして１つ又は複数のカメラを備えているとよい。特にシステムが３Ｄステレオカメラを備えているとよい。それによって高精度の撮影が可能になり、それによって参照髪型の撮影も非常に正確に行うことができる。特に適切な画像処理システムと協働して、録画した参照髪型をシミュレーションとして三次元提示することが可能になり、それによって髪型の各毛髪の長さがそれぞれの位置で特定される。このシステムはこれにより、撮影された参照髪型の各毛髪の長さをほとんど自立的及び自動的に特定することができる。
【００６４】
髪型提示の経過をビデオ録画するための画像処理システムが模型頭部に形成されており、それが経過を保存可能であることが好ましい。
【００６５】
このシステムが、実際の頭部で実施されたヘアカット経過をこのヘアカット経過の模型頭部での提示と比較分析できるように形成されているのが好ましい。
【００６６】
好ましくは、長さ変更可能な要素の長さ調節の自動制御において、各長さ変更可能な要素が、実際のヘアカット経過のあらかじめ定められた順番で順々に個別に調節されるのが好ましい。特にこれでもって実演目的のために見習い生又は継続教育研修者に、固有の髪型のためにそれぞれどの長さに調節するべきかを実演で示すだけでなく、頭部表面の局所に配分されて設置された長さ変更可能な要素をどの順番でその長さに調節可能かをも示す。これによって、選択した参照髪型においてどの頭部箇所で順々に各髪を個別の長さに調節又は実際にカットしなければならないかを、自動的に、及び自習的に追体験して理解することができる。
【００６７】
模型頭部は、例えばディスプレイ又は画面のような一体型表示ユニット、特に模型頭部に対して相対的に可動である表示ユニットを備えているとよい。この表示ユニットは、例えば旋回機構を使って模型頭部に取り付けられるとよい。保存した参照髪型又はヘアカット経過を表示して適切に観察できるようにするため、これによって表示ユニットを任意の位置に動かすことができる。この表示ユニットが必要でない場合は、回して向きを変え、模型頭部上又は模型頭部内に場所を取らずに位置決めすることができる。
【００６８】
同様に、独立した表示ユニットを直接模型頭部と電気的に接続してもよい。
【００６９】
本発明は別の観点において、人造の、人間の頭部を模して作った模型頭部及び毛髪の長さを記号提示するための複数の棒状の要素を使用して髪型を三次元提示するためのシステムに関する。このようなシステムによって髪型の記号提示ははるかに正確に示され、要素が比較的細い棒形状であるために要素の数がはるかに密に配置される。髪型の構造提示は、これによってはるかに正確に実施できる。
【００７０】
好ましくは、個別の長さを持った棒状の要素を模型頭部に挿入することができる。これによって多数の、略同じ長さの要素を、異なる挿入深さで模型頭部内に挿入することができる。これによって模型頭部の場所的に異なるゾーンに、異なる長さに模型頭部から引き出される棒状の要素を配置することができる。これにより、多数の略同じ要素を使用して毛髪の長さを記号的に提示するための異なる長さ構造が可能になる。
【００７１】
本発明の第１の観点に従ったこのシステムの有利な実施形態は、本発明の第２の観点に従ったこのシステムの有利な実施形態とみなされる。
【００７２】
システムは同様に、装置として形成され、装置と呼称されることが可能である。
【００７３】
好ましくは、毛髪の生えている部分に相当する面範囲によって限定されたボリューム部分が、模型頭部の残りの部分と取り外し可能に接続するように模型頭部が形成される。これによって模型頭部の部分要素を交換が可能になる。これによって特に、長さ変更可能な要素の取り付けに関して異なる頭部形状又は異なる実施形態が可能になる。多数の異なる髪型があるゆえに、場合によってシステムのそれぞれ異なる実施形態が有利であり得ることから、そのような実施形態によって可能な限り最善の髪型提示又は実演に関して、高い柔軟性とモジュール性を備えた最適なシステムコンポーネントを提供することができる。
【００７４】
特に、システムの異なる実施形態の任意の組み合わせも可能にすることができる。こうして例えば、１つの模型頭部に多数の長さ変更可能な要素を一体化して形成し、しかも頭部の部分範囲にさらに別の長さ変更可能な要素を挿入できるようになっていてもよい。これによって模型頭部の固有の範囲で長さ変更可能な要素の密度を高め、それによって構造提示の正確性を向上させることができる。
【００７５】
本発明は別の観点において、毛髪の長さを記号的に提示するための要素に関する。特に要素は可逆的に長さを変更することができるように形成される。
【００７６】
好ましくは、相互に接続され、特に要素の縦方向に相対的に互いに可動である、少なくとも２つの部分要素を備えている。従って、例えば、テレスコープ状装置をそなえているとよい。しかし同様に、例えば連結装置として実施可能な部分要素間に、取り外し可能な接続があってもよい。
【００７７】
特に長さ変更可能な要素は曲げ剛性が高くなるように形成される。
【００７８】
長さ変更可能な要素は連続的に長さ変更できるように形成されるとよい。
【００７９】
しかし同様に、要素の長さが不連続に変更されるだけ、つまり段階的に変更されるだけであってもよい。
【００８０】
特に長さ変更可能な要素をワンピースに形成し、長さ変更のための少なくとも２つの部分要素が相対的に互いに可逆的に可動ではなく、規定破断個所で互いに分離できるようにすることも可能である。これによっても要素の長さ変更が可能になるが、しかし非可逆的に変更できるだけである。
【００８１】
要素が７ｍｍ以下、特に５ｍｍ以下、特に３ｍｍ以下の外径を備えていると有利である。
【００８２】
この寸法決めによって多数の長さ変更可能な要素を１つの模型頭部に取り付けることができ、それによって三次元の髪型提示の正確性がはるかに高められる。
【００８３】
長さ変更可能な要素は好ましくは少なくとも部分的に中空体を形成する。特に少なくとも部分的に管状に設計される。これによって比較的軽い、重量を軽減した、さらには比較的安価な要素が実現可能になる。
【００８４】
さらに、長さ測定要素が長さ変更可能な要素の表面上又は内部に形成されるとよい。特に、長さ変更可能な要素が少なくとも部分的に中空に形成されている場合、長さ測定要素を中空範囲に配置することができる。長さ測定要素は、長さ変更可能な要素又は部分要素に対して相対的に可動であることが好ましい。
【００８５】
本発明は別の観点において、髪型を三次元提示するための方法に関し、この方法によって模型頭部の長さ変更可能な要素は頭部の局部的位置に応じて固有に提示されるべき髪型の毛髪の長さに調節される。
【００８６】
特に好ましくは、長さ変更可能な要素がその縦軸方向に長さを変更することが可能で、それに合わせて調節することが可能である。好ましくは長さ変更可能な要素が略垂直に頭部表面上に配置され、希望の長さに調節される。
【００８７】
好ましくは長さ変更可能な要素は無段階に、従って提示すべき髪型の毛髪の長さの記号提示の個別の長さに連続的に調節される。
【００８８】
この長さは段階的にのみ、つまり非連続的にのみ、適切な長さに調節されてもよい。
【００８９】
システム及び要素に関する本発明の前述の観点の有利な実施形態は、発明に従った方法の有利な実施形態と見なされる。特に長さ変更可能な要素の長さを自動調節する手順、及び参照髪型と各参照長さとの一緒の自動調節及び選択、保存は、有利な方法ステップとみなされる。さらに参照髪型のビジュアルな記録と、参照髪型及びヘアカット経過の提示及び実演も、画像情報として表示ユニットを介した、有利な方法ステップとしてみなされる。
【００９０】
発明に従った方法経過又はその有利な実施形態は、コンピュータプログラムによっても定義可能である。これは記憶装置に保存して、進行制御のために使用してよい。コンピュータプログラムは好ましくは髪型及び／又はヘアカット経過のシミュレーション及び／又は録画した画像データの処理のためにも形成されてよい。
【００９１】
従って原則として本発明によって、システム、要素及び方法は見習い生等のための内部での練習及び継続教育のためだけに企図されているのではなく、セミナー、トレーニング及びその他の講演又はそのようなもののための発表システム及び実演システムが作り出される。特に試験目的のためにもこのシステム及び手順を使用してもよく、それによって格段の有利性が実現される。特に実地分野での試験課題の記録及び追体験理解をこれによって記録することができる。
【図面の簡単な説明】
【００９２】
本発明の実施例を、模式図を使用して以下に詳細に説明する。
【００９３】
【図１】人間の頭部の模式的側面図である。
【図２】発明に従ったシステムの第１の実施例の斜視図である
【図３】図２に従った実施形態の模式的平面図である。
【図４】発明に従ったシステムの別の実施例の模式的側面図である。
【図５】発明に従ったシステムの第３の実施例の模式的側面図である。
【図６】発明に従ったシステム第４の実施例の模式的側面図である。
【図７】毛髪の長さの記号提示のための要素の第１の実施例である。
【図８】そのような要素の第２の実施例の模式的側面図である。
【図９】そのような要素の第３の実施例の模式的側面図である。
【図１０】そのような要素の第４の実施例の模式的側面図である。
【図１１】そのような要素の第５の実施例の模式的側面図である。
【図１２】そのような要素の第６の実施例の模式的組立分解図である。
【図１３】発明に従ったシステムの別の実施例の模式図である。
【発明を実施するための形態】
【００９４】
図中、同一の要素又は機能的に同一の要素には、同一の符号を付している。
【００９５】
図１は人間の頭部の模式的側面図である。例として描画された輪郭線１ａは、頭毛が生える頭部範囲の境界をなしている。この頭部範囲１ｂは頭部の丸みに基づいて頭部表面１ｃによって区切られている。ここから毛髪１ｄが外へ向かって伸びている。
【００９６】
美容師にとって、カットするべき髪型の構造を想像できるということは重要である。その際に、ある構造の下で各毛髪を頭部表面１ｃから９０度の角度で立てると、範囲１ｂの毛髪の長さ配置は頭部の丸みを越えて理解される。例として図１には、毛髪１ｄがそれぞれ表面１ｃに垂直に配置されているところが示されている。図１に従った側面図では、頭部表面１ｃとは反対を向いた毛髪１ｄの終端部の間を接続して形成されている、構造の線１ｅだけが示されている。立体的提示においては、構造１ｅは同様に髪型に依存して異なる形状変化を示し得る表面を表示している。これは特に、頭皮によって定義される表面１ｃによる造形に対して一般的に異なるか又は大きく異なる。
【００９７】
それぞれ個別に作られるべき髪型に依存して、表面１ｃの場所的位置における個々の毛髪１ｄの長さも異なる。
【００９８】
美容師及び特に美容師職の見習い生又は継続教育研修者にとって、１つの髪型のこの構造１ｅを立体的に想像できることが特に重要である。例えば、図１で頭部範囲の上部に示された毛髪１ｄが選択された髪型のために固有の長さにカットされる場合、希望の髪型に仕上げるためには、それと同時に美容師が、例えば、耳の付近の毛髪がどの長さであるべきかを想像できることが重要である。従って、これに関して、範囲１ｂの固有の第１の位置で毛髪１ｄをカットする際、どの長さに、又は範囲１ｂ内の第２の位置の突出した毛髪をどのように切らなければならないかを、同時に想像できなければならない。
【００９９】
これはしばしば非常に難しいことであり、特に見習い生又は継続教育研修者にとっても、習得には相当な練習量が必要となる。
【０１００】
特にこの学習、またこれに関する継続教育は、本発明によって格段に向上する。この学習はより効果的で効率的に実施でき、追体験して理解することも可能になる。特に本発明によって髪型の記号提示が格段に改善され、特に個々の頭部箇所の各毛髪の長さが保証され、それによって習得を最適化することができ、学習成果もより迅速に現れる。より正確な、細部にわたって正しい提示によってさらにより優れた想像能力が訓練され、それによって個々の髪型もよりよく覚え込むことができる。
【０１０１】
図２は髪型を三次元提示するための発明に従ったシステムの第１の実施例を示す模式図である。
【０１０２】
システムＩＩは人造の、人間の頭部を模した模型頭部１を備えており、この模型頭部では輪郭線１ａが頭部表面１ｃに形成されている。さらに、通常人間の頭部では毛髪のある部分である表面範囲１ｂが形成されている。システムＩＩでは、表面範囲１ｂに図２で模式的に示された多数の長さ変更可能な要素２が配置されている。長さ変更可能な要素２は棒状に形成され、模型頭部１上に、各位置で頭部表面１ｃに対して略垂直になるように配置されている。このことは角度αで示唆されている。
【０１０３】
図２に従った例示的表示では、異なる長さを持った個々の長さ変更可能な要素２が配置され、その結果構造１ｅの比較的複雑な造形が表面形状として形成されている。
【０１０４】
長さ変更可能な要素２は、例えば木材、金属、プラスチック又はそのようなものから形成されていてよい。特に、この棒状の長さ変更可能な要素２は曲げ剛性が高くなるように形成される。つまり、この要素がうなじ範囲又は後頭部に配置されても頭部表面１ｃから外へ向かってほとんど垂直に立つということを意味する。
【０１０５】
特に、表面１ｂ及び輪郭１ａによって形成される又は境界をなしている模型頭部１の部分範囲は、ボリューム体部分として残りの模型頭部１から取り外すことができてよい。この実施形態によって、そのような部分範囲の多様な実施形態及び造形を模型頭部１にはめ込むことが可能になる。システムＩＩ及び特に模型頭部１は、その使用、投入、詳細な提示に関し、状況及び要求に依存して最適に組み立てることが可能である。またこれによって、例えば、長さ変更可能な要素２が配置される、又は配置されることが可能な、消耗又は摩耗した部分要素を比較的安価に交換することができる。なぜなら、模型頭部１全体が使用不可能になるのではなく、これらの固有の部分だけが使用不可能になるからである。このモジュラー式の構造はシステムＩＩにさらに高い柔軟性を与える。
【０１０６】
長さ変更可能な要素２は、模型頭部１に一体化して配置することが可能であり、それによって模型頭部上にしっかり固定することができる。特に長さ変更可能な要素２のそのような一体化した取り付けは、摩耗又は修理のための取り外し又はそのような目的のためだけに実行されてよい。そのような取り外しは好ましくは、長さ変更可能な要素２を取り出せるようにするためには、固有の、意図して実施しなければならない組立ステップが必要になるように形成される。そうでない場合には、従来的な投入及び使用目的のためには、一体化した実施形態を備えた長さ変更可能な要素はほとんど取り外し不可能な接続となる。
【０１０７】
しかし、言うまでもなく、長さ変更可能な要素２は、修理又は交換目的で意図した取り外しもできないように、模型頭部１に一体化されてもよい。
【０１０８】
しかし、同様に、長さ変更可能な要素２が完全に独立した部分を形成し、毛髪の長さを個別に記号的に提示するために表面１ｃ上の範囲１ｂ内に取り付けられてもよい。その際特に、取り付けが、例えば、磁石、逆のループ・フック結合式面ファスナーシステム又はそのようなものを使用して行われてもよい。同様に、特に模型頭部１の部分要素が、輪郭１ａ及び表面範囲１ｂによって面が限定され、ある素材組成から形成され、独立して形成された長さ変更可能な要素２の差し込みが可能であってもよい。例えば、ここでは、スチロポール、発泡材又は適切な造形粘土であってよい。特にこの素材は、長さ変更可能な要素２の差し込み及びその次の引き出しが成立するための穴が自動的に再度閉じられるように形成される。
【０１０９】
長さ変更可能な要素が一体化して配列される場合、面単位当たりの数は表面１ｂ全体にわたって同等に配分可能である。しかし、面単位当たりの長さ変更可能な要素２の数は表面範囲１ｂで場所によって変化してもよい。
【０１１０】
同様に、長さ変更可能な要素２が一体化して配列され、表面範囲１ｂへ取り外し可能に取り付けるための追加的に独立した長さ変更可能な要素２を備えていてもよい。これによって存在する長さ変更可能な要素２が状況によって変化し、さらに個々の長さ変更可能な要素２の位置決めも固有に形成されることができる。システムＩＩの柔軟性はこれによってさらに格段に高まり、有利には全く固有の髪型提示のために企図される。
【０１１１】
模型頭部１の頸部範囲には、窪み１ｆが形成され、この窪みには固定要素又は組立装置が挿入可能であり、それによって模型頭部１を設置することが可能である。
【０１１２】
図３は、図２に従ったシステムＩＩの模式的平面図である。この図から、多数の長さ変更可能な要素２が表面範囲１ｂ上に配分されて配置されているのが見て取れる。この模式図は、要素２が全て略完全に模型頭部１内に埋没され、それによってシステムＩＩが使用されていない状態にある状況を示している。特に自動的に長さ変更可能な要素２又は長さ変更可能な要素２のテレスコープ状実施形態では、これらは完全に受動ポジションにあり及び、それゆえに、埋没して配置されている。
【０１１３】
図４は、システムＩＩの別の実施例の側面図であり、ここでは練習頭部又は模型頭部１に多数のさらなる長さ変更可能な要素の代りに２つの長さ変更可能な要素２ａ及び２ｂだけが示されている。その基本的実施形態において、２つの長さ変更可能な要素２ａ及び２ｂは同様に形成されている。この実施形態において、長さ変更可能な要素２ａ及び２ｂは取り外し不可能に、それゆえに模型頭部１と一体化して接続されている。示された実施形態では、模型頭部１内では長さ変更可能な要素２ａ及び２ｂの取り付けの範囲で、穴３ａ及び３ｂが形成されており、その穴の中に要素２ａ及び２ｂが配置されている。実施例においては、模型頭部１は中実に形成されてよく、穴３ａ及び３ｂは場所に固有に形成されてよい。これによって、長さ変更可能な要素２ａ及び２ｂがその縦軸方向に互いに引き伸ばされたり押し縮められたり（矢印方向に）することができるとよい。例えば、図４では、長さ変更可能な要素２ｂが完全に引き伸ばされ、それゆえにその最大長が示されている。それとは逆に、長さ変更可能な要素２ｂに従って最大長を示す別の長さ変更可能な要素２ａではわずかな長さだけしか引き出されていない。完全に押し縮められた状態では、長さ変更可能な要素２ａ及び２ｂは略完全に穴３ａ又は３ｂに埋め込まれる。表面１ｂに対して最小量だけが突き出ていてよく、その結果長さ変更可能な要素２ａ及び２ｂは操作者又は使用者がつかむことができ、希望の長さに手動で引き出すことができる。
【０１１４】
穴３ａ又は３ｂの上縁に浄化要素４が取り付けられてよい。これは、例えば、ブラシ状に形成されてよい。しかし同様に、引き出し又は差し込みの際に要素２ａ及び２ｂの外側が清掃可能な布地、例えば、フリース布地であってもよい。特に、手でつかむことによって汚れることのある素材の場合は、これによって確実に清掃が可能になる。これは特に光沢のある素材又は被膜層に有利である。なぜなら、これによって指紋やほこりがぬぐい取られ、それゆえに常に光沢のある、高価値の印象を与えることができるからである。
【０１１５】
模型頭部１の中実形成、及び特に輪郭１ａ及び面範囲１ｂによって外側に向かって区切られたボリューム部分の代りに、特にこの立体的な部分要素の内部が中空に形成されていてもよい。長さ変更可能な要素２ａ及び２ｂは、従ってこの空洞内に突き出た状態で、例として示された図４に従って配置されていてよい。
【０１１６】
そのような実施形態では、長さ変更可能な要素２ａ及び２ｂはその内部及び従って表面範囲１ｂと向かい合っている面１ｂ’に、取り外し可能に配置されてよい。これによって、一方で要素２ａ又は２ｂの長さ変更の際に意図せず外れることを防止し、他方ではしかし要素２ａ及び２ｂを修理又はそのような目的で交換することが保証される。長さ変更可能な要素２ａ又は２ｂがその内側でボルト止めされ、ロックされ、又は磁石又はそのようなもので固定されてよい。
【０１１７】
しかし、穴３ａ及び３ｂが雌ネジを備え、その中に要素２ａ及び２ｂがネジ止めされて半一体化して取り付けられることが可能であってもよい。そのために要素２ａ及び２ｂは外側に対応する雄ネジを備えている。
【０１１８】
特に、長さ変更可能な要素２ａ及び２ｂの長さ変更は手動操作でのみ、特に使用者による要素２ａ又は２ｂの引き出し又は差し込みで行うことができてよい。
【０１１９】
しかし、長さ変更可能な要素２ａ及び２ｂが自動的に制御可能であってもよい。そのためにシステムＩＩは、示された実施形態内で好ましくは模型頭部１に配置されている電子制御ユニット５を備えていてよい。言うまでもなくこの制御ユニット５は模型頭部１において別の位置に、又はそれどころか模型頭部外部に配置されてもよい。制御ユニット５は、電子式メモリ６を備えているが、しかしこのメモリは同様に独立したユニットとして配置されてもよい。
【０１２０】
制御ユニット５は、実施例内で模型頭部１のうなじ範囲外側に配置された操作要素７と電気的に接続されている。操作要素７は単独の操作要素であってよい。操作要素７はタンブラスイッチ、ロータリスイッチ、押しボタン又はロータリ／プッシュスイッチであってよい。同様に、操作要素７はタッチスクリーン又はそのようなものであってよい。さらに、複数の操作要素７が備えられていてもよい。
【０１２１】
そのような自動制御される実施形態では、全ての長さ変更可能な要素２又は２ａ及び２ｂが完全に埋没した状態にある、システムＩＩが完全に非作動の状態から、操作要素７を操作することによって繰り出しが実施されてよい。操作要素７を操作することにより、例えば、少なくともいくつかの、特に全ての一体化して配置された棒状の要素２ａ及び２ｂが能動ポジションに繰り出すことが可能になる。つまり、要素の繰り出しは最小限にとどめられ、それゆえに完全に沈みこんでつかむことのできない状態から、要素が最小量だけ表面範囲１ｂから突き出して、それゆえに次に使用者がさらに手動で引き出すためにつかむことができる位置状態へ移行されるということである。そうすれば、続いて使用者が練習過程を終了し、個々の長さに引き出された（多数のさらなる長さ変更可能な要素２の代りに挙げられた）長さ変更可能な要素２ａ及び２ｂが再び非作動の状態にされ、それゆえに完全に沈みこんだ状態に移行され、これが操作要素７を操作して特に迅速に効果的に達成することができる。これによって、自動的に、及び同時に全て個別に引き出された長さ変更可能な要素２ａ及び２ｂが完全に沈みこんだ状態に移行される。これによって、それぞれ個々の要素２ａ及び２ｂを手動によって押し込む場合と比較して、片付けの際に著しく時間的に有利であり、さらに損傷の危険が低減される。非常に細い長さ変更可能な要素２ａ及び２ｂの場合、さらに、また略最大長さに引き出されている場合には、不注意により、又は手動ですばやく押し込んだ場合の曲げ又はそのような動きによって損傷することがある。自動制御そのような受動ポジションへ移行することにより、この損傷が回避できる。
【０１２２】
基本ポジションからのみ自動調節を行うほかに、さらに個々の長さ変更可能な要素２ａ及び２ｂを個別の長さへ自動制御で調節することも可能になる。例えばメモリ装置６内に少なくとも１つの参照髪型が保存されてよい。操作要素７を操作することによって、個々の長さ変更可能な要素２ａ及び２ｂが、場所による毛髪の長さを記号提示するために、提示すべき参照髪型に必要な長さまで突出状態に繰り出される。これによって、特に実演目的の訓練のために、非常に素早く高い正確さで各毛髪の長さを固有の場所的位置に記号的に提示することが可能になる。
【０１２３】
複数の参照髪型がメモリ装置６内に保存され、１つ又は複数の操作要素７を個々に操作することで、固有の参照髪型の選択が可能になり、その髪型が自動的に繰り出された個々の長さ変更可能な要素２ａ及び２ｂによって提示されることが可能になってもよい。
【０１２４】
しかし、さらに、少なくともいくつかの、特に全ての長さ変更可能な要素２ａ及び２ｂに１つ又は複数のセンサが装備されてもよく、センサは要素２ａ又は２ｂの調節された長さを検知することができる。検知された長さは、情報として制御ユニット５に伝送されてよい。特に、この値が個別に保存されてもよい。
【０１２５】
しかし同様に、検知された長さ情報の保存が、使用者が操作要素７を操作することによってはじめて保存されてもよい。そのような実施形態により、システムＩＩを使用して練習する者は、存在する長さ変更可能な要素２ａ及び２ｂを固有の長さに手動で調節してまず完全に１つの髪型を提示することを試みることが可能になる。全ての長さ変更可能な要素２ａ及び２ｂが適切な長さに引き出されるか又は調節されると、操作要素７を操作することによってこの調節された長さが保存される。これにより、練習者によって実施された習作、１つの参照髪型が提示され、そのために対応する毛髪の長さが記号的に長さ変更可能な要素２ａ及び２ｂによって提示され、全体として保存が可能になる。個々の長さ変更可能な要素２ａ及び２ｂにより、センサを介して検知された引き出し長さが認知され、保存される。
【０１２６】
これにより、練習者によって実行された習作が後でもう一度再構成されて追体験して理解されることが可能になる。同様に、最初に自動的に参照髪型が長さ変更可能な要素２ａ及び２ｂの対応する繰り出しによって示され、これに関して保存された要素２ａ及び２ｂの長さが自動的に調節され、続いて保存された練習者の習作が示されることで練習者によって実行された習作と参照髪型の比較が可能になる。これは任意に何度でも繰り返すことが可能であり、それによって学習効果及び追体験理解が起こりうる誤りをはるかに直感的及び理解可能に実行することが可能になる。さらに、練習が一方で点検及び改善され、他方でそしてさらにはいつでも、追体験して理解可能な繰り返しが、相互の間に経過した時間に関係なく任意に可能になる。
【０１２７】
さらに、参照髪型を好ましい順番に従って実演するために、長さ変更可能な要素２ａ及び２ｂを自動的な繰り出すこともできてよい。特に、実際の本当のヘアカットでも個々の頭部箇所で実施されるように、個々の順番があらかじめ設定されていてもよい。髪型に固有に、個々の長さ変更可能な要素２ａ及び２ｂは選択された髪型内の各位置で正しい順番に連続して繰り出され、それぞれ正しい長さに調節される。練習者に対しては、正しい長さと並んでさらに、参照髪型を作成する際に個々の毛髪部分をカットする時の正しい順番を示すことが可能になる。
【０１２８】
同様に、どんな順番で個々の長さ変更可能な要素２ａ及び２ｂが順々に引き出されたのか、又は場合に応じて後から修正されたのかがセンサによって検知されてもよい。これによって後続する全体保存と練習者の習作の追体験理解がそれぞれ設定された要素２ａ及び２ｂの長さだけでなく、個々の要素２ａ及び２ｂがいつ引き出されたのかを追体験して理解できるようになる。
【０１２９】
図４に従って示された実施形態では、長さ変更可能な要素２ａ及び２ｂと制御ユニット５間、及び制御ユニット５と操作要素７間の電気接続が電線接続で形成されている。しかし同様に、この電気接続を無線で形成してもよい。さらに、操作要素７が無線通信のために他のユニット、例えばリモコン装置と通信でき、及び双方向性のデータ交換が可能であると好ましい。
【０１３０】
電気制御される実施形態の場合、長さ変更可能な要素２ａ及び２ｂの出し入れのために、要素２ａ及び２ｂがそれぞれ１つのモータドライブユニット、例えば、電気モータ又はそのようなものを備えていてよい。これは制御ユニット５によって制御することができる。
【０１３１】
すでに説明した、１ｄ’の内側の取り外し可能ロックのほかに、模型頭部１が中実形成されている場合に、長さ変更可能な要素２ａ及び２ｂを取り付ける際のロックが穴３ａ又は３ｂの中にもあってよい。このロックは、長さ変更及びそれによる長さ変更可能な要素２ａ又は２ｂの引き出し又は押し込みの際に、そのような要素２ａ又は２ｂの模型頭部１から全体的に外れないように企図される。これらの外部ロックを完全に取り出して外すために、外から手を届かせて、又は補助工具を使用して、取り外し可能なキャッチ要素を取り外すことができ、さらに長さ変更可能な要素２ａ又は２ｂを分離して模型頭部１から取り外すことができるのが好ましい。
【０１３２】
模型頭部１は好ましくは一体化された表示ユニット１２を備え、この表示ユニットは好ましくは模型頭部１に対して相対的に可動である。そのために少なくとも１つの空間方向への旋回を可能にする機構が備えられていてよい。それによって表示ユニット１２は任意の適切な位置に設置され、最適に観察できるように配置される。その後、ビデオ又は画像シーケンスのような提示された画像形態が、使用者又はその他の観察者によって観察可能になる。そうすれば特に練習者は、保存されて練習のために選択された参照髪型の後を追いながら同時に模型頭部１で練習することができる。表示ユニット１２は制御ユニット５と電気的に接続されていない。
【０１３３】
表示ユニット１２は、独立したコンポーネントとして模型頭部１に配置され、電気的に直接模型頭部１と接続されてもよい。これによって、画像情報が好ましくはより大きな表示ユニット１２に提示できる容易になる。
【０１３４】
図５は、模型頭部１を備えたシステムＩＩの別の実施例である。この実施形態では、長さ変更可能な要素２ａ及び２ｂのうちの少なくとも１つを備えており、これらの要素はまたもや多数のさらなる示されていない長さ変更可能な要素２の代わりとして示され、追加的に長さ測定要素８を備えている。この長さ測定要素８はまだ引き出されていない長さ変更可能な要素２ａとすでに個々の長さに調節された長さ変更可能な要素２ｂの先端との距離の測定を可能にする。これによって、長さ変更可能な要素２ａの頭部表面の位置から長さ変更可能な要素２ｂの先端までの距離を求めることができる。このやり方は固有の髪型にとって重要である。なぜなら、この測定された長さに依存して長さ変更可能な要素２ａをこの距離と一致する長さまで手動で引き出すか又は自動的に繰り出されるからである。
【０１３５】
好ましくは、この長さ測定要素８が実施例で糸８１ｂとして実現され、ロール８１ａ上に配置されている柔軟な部品を備える。糸８１ｂの前部端には、把持要素８１ｃ、例えば小さな球又はそのようなものが取り付けられ、その把持要素によって糸８１ｂを簡単で容易につかむことができ、それによって簡単に引き出すことができる。示された実施例では、特にロール８１ａが模型頭部１内に配置されている。好ましくはこのロール８１ａは長さ変更可能な要素２ａに沿って、又はその中に配置され、糸８１ｂは全体が空洞に形成された長さ変更可能な要素２ａ内に通されて位置決めされるのが好ましい。把持要素８１ｃは、中空の長さ変更可能な要素２ａの前側の開口部にぴったり合い、内側に滑り入らないようなサイズであることが好ましい。
【０１３６】
ロール８１ａは糸８１ｂを自動的に巻き取り／繰り出しするように形成されているのが好ましい。つまり、長さ変更可能な要素２ａだけが引き出されて固有長に調節される（手動又は自動で）場合、糸８１ｂによってそれが妨げられないということである。長さ変更可能な要素２ａが再び押し縮められ、特に模型頭部１内に完全に沈みこんだ状態に移行すると、ロール８１ａは自動的に糸８１ｂを巻き取るよう形成される。長さ変更可能な要素２ａの押し込みと同時に自動的に糸８１ｂがロール８１ａに巻き取られるのが好ましい。糸８１ｂの垂れ下りがこれによって防止され、それによって高い機能性と共に低い摩耗性と高価値の印象を達成することができる。
【０１３７】
同様に、長さ測定要素８だけが使用され、距離測定を行うために糸８１ｂを別途引き出したい場合にも、これが保証されてもよいこれに関連して、把持要素８１ｃを手でつかみ、手動で糸８１ｂを引き出す場合、糸８１ｂ又は糸８１ｂの把持要素８１ｃを放した場合に、再び自動的に即座にロール８１ａに巻き取られないようにする停止機構を備えているとよい。引き出された糸８１ｂの長さは、把持要素８１ｃを放した後も維持される。これは特に、測定した長さが糸８１ｂで測定され、その後で例えば長さ変更可能な要素２ａを手動で固有長まで引き出したい場合に有利である。これによって要素２ａのこの個別の長さを定義して調節することができ、非常に少ない手間で正確に実現することが可能になる。
【０１３８】
そのような実施形態において糸８１ｂの巻き取りを再度達成できるようにするため、この停止機構を例えば糸８１ｂをわずかにぐいっと引っ張るだけで解除し、それによって自動的にロール８１ａへの巻き取り能力が再度作動状態になるようにすることができる。
【０１３９】
長さ測定要素８が柔軟な形態であることが特に好ましい。なぜならそれによって長さ変更可能な要素２ａ及び２ｂが非常に異なった、互いに比較的遠く離れた位置にある場合でも、希望する点の間の比較的正確な距離測定が可能になるからである。
【０１４０】
長さ測定要素８は、長さ変更可能な要素２とは別の部分として形成されてもよい。そうすれば、システムＩＩはこのような長さ測定要素８だけを備えていてよい。これは柔軟又は剛直な形態であってよい。
【０１４１】
図６は、髪型を立体的提示するためにシステムＩＩの別の実施例の別の模式的側面図を示している。この実施形態では、長さ変更可能な要素２ａ’及び２ｂ’は模型頭部１とは別の部分を形成する。ここでも、これらの長さ変更可能な要素２ａ’及び２ｂ’は曲げ剛性が高く形成され、棒状に設計されている。個々の毛髪の長さを記号的に提示するため、棒状の長さ変更可能な要素２ａ’及び２ｂ’が操作者によって個別に模型頭部１の各位置に差して付けられるか又は差し込まれる。その際差し込みは前もって作られた穴へ実行される。同様に、模型頭部１、特にある素材から形成され、表面範囲１ｂを含む部分要素が、要素２ａ’又は２ｂ’をその中に差し込めるように又は表面１ｂに取り外し可能に取り付けられるようであってよい。例えばこれは磁石又はそのようなものを備えていてよい。
【０１４２】
ここでも要素２ａ’又は２ｂ’は連続的に又は非連続的に長さ変更を形成できる。例えば、テレスコープ状形態又は規定破断個所を備えた要素であってよい。棒状の要素２ａ’及び２ｂ’はワンピースに形成され、異なる差し込み深さで模型頭部１に取り付けでき、それゆえに模型頭部１から突出した長さを毛髪の長さの記号的な提示のために個別に調節することが可能であってよい。
【０１４３】
図２から図６に示された様々な実施形態は、部分的観点から、又は完全に任意の方法で組み合わせることが可能である。
【０１４４】
図７には、毛髪の長さを記号的に提示するための要素２の第１の実施例模式図である。要素２は長さ変更可能に形成され、例として縦軸方向Ａに相対的に互いに可動な、３つの部分要素２１、２２、２３を備えている。示された実施形態では、要素２は曲げ剛性が高くなるよう形成され、テレスコープ状装置として設計されている。第３の部分要素２３の前端には把持部２４が形成され、これによって操作者が手で確実につかむことができるようになっており、手動による引き延ばしと押し縮めが保証されている。要素２の部分要素２１〜２３の数もそれぞれ個別の長さも、単なる例であり、多様に変化が可能である。
【０１４５】
さらに、要素２は少なくとも一部範囲が光を透過する素材で形成されていてよい。これによって部分要素２１〜２３又は全ての要素２は固有の色で照明されることができる。この実施形態により、個々の髪色を示すことができる。
【０１４６】
しかしこれによって同様に、練習者の誤りを参照髪型と比較して示すことも可能になる。
【０１４７】
要素２全体にただ１つの光源９ａが割り当てられてよい。これは例えば、下端に間隔をあけて、又は部分要素２１に直接隣接して配置されてよい。同様に、光源９ａは少なくとも一部範囲が、少なくとも一部範囲が中空に形成された部分要素２１の内部に配置されるのが好ましい。
【０１４８】
追加的に又はその代わりとして、光源９ｂが第２の部分要素２２内に、及び追加的に又はその代わりとして光源９ｃが第３の部分要素２３内に配置されてもよい。これによって、個々の部分要素２１〜２３が個別に、互いに独立して固有の呈色で照明されることが可能になる。好ましくは、光源９ａ〜９ｃが発光ダイオード又は白熱電球から形成される。発光ダイオードは特に好ましい。なぜなら比較的スペースが節約でき、さらに異なる光色を生成することができるからである。特に、１つの要素２又は部分要素２１〜２３にそれぞれ３つの発光ダイオードを割り当て、その中の１つが赤い光色の光線を、２つ目が緑の光色の光線を、３つ目が青の光色の光線を生成するように形成してもよい。この発光ダイオードの個別制御により、要素２又は部分要素２１〜２３でそれぞれ任意の色照明の色混合が可能になる。
【０１４９】
図７に示された要素２のテレスコープ状装置により、連続的に又は無段階に長さ変更を調節できる。部分要素２１〜２３は連続的な長さ変更のために可動ではなく、不連続の段階でのみ調節することができてもよい。
【０１５０】
図８は要素２の別の実施形態を示しており、図７に従った提示との違いは、模型頭部１に示されたロックの実施形態だけである。このように１つ、特に複数のロック要素２５及び２６が、第１の部分要素２１の上部区間に形成されるとよい。特にこの第１の部分要素２１は、模型頭部１の内部に配置され、ロック要素２５及び２６は内側１ｂ’（例えば図４）にロック可能である。
【０１５１】
図９は、例として３つの部分要素２１〜２３を備えた、要素２の別の実施形態である。図９に従った実施形態では模式的及び記号的に、部分要素２１の下端に電気モータ２７が配置され、このモータは制御ユニット５を介して制御され、それによって自動的に要素２の長さ調節を生じさせることができる。
【０１５２】
さらに図１０は、すでに図５の実施形態で説明した長さ変更可能な要素２の別の実施形態を示している。ロール８１ａ、糸８１ｂ及び把持要素８１ｃを備えた長さ測定要素８がこの要素２に一体化されて配置されている。
【０１５３】
図７〜図１０に従った要素２の全ての実施形態において、部分要素２１〜２３の数は単なる例である。さらに、図７〜図１０に従った複数の実施形態の任意の組み合わせも可能である。図７〜図１０では、長さ変更可能な要素２は略最大の長さに、及びそれゆえにほとんど完全に引き出されて示されている。完全に押し縮めた状態では要素２の長さは第１の部分要素２１よりわずかだけ長くなる。
【０１５４】
図１１は要素２の別の実施例を示し、要素は棒状に及び長さ変更可能に形成されている。図７〜１０に示された、可逆的に長さ変更可能である要素２と異なり、図１１に従った要素２は可逆的にのみ長さ変更可能である。そのため、要素２は少なくとも２つの、特に複数の部分要素２１ａ、２１ｂ、２１ｃ、２１ｄ、２１ｅ、２１ｆ、２１ｇを備え、これらの部分要素はあらかじめ定義された、好ましくは印を付けられた規定破断個所、特に規定破断個所２８を介して相互に接続され、それゆえに最初はワンピースの要素２が一定の全体長を提供している。
【０１５５】
部分要素２１ａ〜２１ｇは、全て略同じ長さｌを備えている。しかし、異なる長さを備えていてもよい。特に、第１の長さを備えた部分要素、次に第２の長さを備えた部分要素、続いて再び第３の長さを備えた部分要素、というように交互に並んで形成されてよい。
【０１５６】
好ましくは図１１に従った要素２のそのような実施形態において、要素は模型頭部１とは分離した部分として準備され、手動で模型頭部１に差し込まれるか差し付けられるか又は取り付けられる。１つ又は複数の部分要素２１ａ〜２１ｇを各規定破断個所２８の分離で切り離すことで、毛髪の長さの記号的提示のための個別の長さを作り出し、使用できる要素２を模型頭部１の表面範囲１ｂの固有の位置に取り付けることができる。
【０１５７】
図１２は要素２の別の実施例を示し、要素は同様に棒状に形成され、可逆的に長さ変更可能である。この実施形態では、図１２の組立分解図に従って個々の部分要素２１ａ〜２１ｄが１つの連結装置に従って組み立て可能であることが認められる。そのために部分要素２１ａ〜２１ｃはそれぞれ１つのピン２１１を備え、このピンは部分要素２１ａ〜２１ｄの対応する窪み又は穴に差し込むことができる。ここでも、部分要素２１ａ〜２１ｄの長さ１は全てが同じに形成されていてよい。しかし同様に、多数の異なる長さ１を持った多数の異なる部分要素２１ａ〜２１ｄを提供することも可能である。これによって要素２の全体長を比較的多数の異なった構成にすることも可能になる。図１２の実施形態に従った要素２は、完全に分離した部分として用意されており、同様に模型頭部１への差し付け又は差し込みが可能であってよい。
【０１５８】
しかし表面１ｂで多数のピン２１１が一体化して形成され、ピンが１つ又は複数の部分要素２１ａ〜２１ｄに差し込も可能であってもよい。特に、要素２の縁部として好ましくは図１２の提示に従った部分要素２１ｄが取り付けられてよい。これはピン２１１を備えておらず、それゆえに要素２の外側終端部に最適な形状の縁部が形成される。
【０１５９】
図１１及び図１２に従った実施形態は、全体長にわたって直径が略同じである要素２を示している。
【０１６０】
複数の長さ変更可能な要素、又は毛髪の長さの記号提示のための棒状の要素を備えた、髪型の三次元提示のためのシステムＩＩは、それゆえに見習い生及び継続教育研修者の練習のために使用できる。さらに試験目的及びセミナー、教習及びそのようなものにおける実演目的にも使用できる。
【０１６１】
図１３には人間の頭部Ｉの隣にシステムＩＩを備えたシステム構成が模式図によって示されている。この構成にはさらに画像処理／画像撮影システムが割り当てられている。このシステムは、例えば、モバイルコンピューター又はそのようなものであり得る演算ユニット９のほかに、第１のカメラ１０及び第２のカメラ１１を備えている。これらはそれぞれ、３Ｄステレオカメラとして仕上げられてよい。またさらなるカメラを備えてもよい。さらに、例えば、スクリーン又はそのようなものである独立した表示ユニット１２’を備えていてよい。この上に、例えば、プロジェクター又はそのようなものである画像投影ユニット１３から画像提示が行われる。好ましくは、カメラ１０及び１１及び画像投影ユニット１３は演算ユニット９と接続されている。表示ユニット１２が電子式ディスプレイ又はそれ以外の画面として形成されている場合、これも電子的に演算ユニット９と接続されてよい。演算ユニット９とのこの接続は、有線接続であっても、しかしまた無線接続であってもよい。
【０１６２】
さらに、システムＩＩの制御ユニット５は、例えば、図４及び図５に従った実施形態で説明されたように、データ交換のために演算ユニット９を備えていてもよい。ここでも無線又は有線で接続された実施形態が実現される。
【０１６３】
図１３に示されたシステムにより、人間の頭部Ｉでの実際のヘアカット経過がビジュアルに認知され、演算ユニット９内に保存される。対応する画像処理ソフトウェアによって人間の頭部Ｉの三次元提示が検知され、保存される。特に画像処理ソフトウェアは、人間の頭部Ｉの各毛髪部分での固有の毛髪の長さもヘアカット経過中に認知されるか、又はソフトウェアによって後から演算されることができるように形成されている。これによって基本的に１つ又は複数の参照髪型の撮影保存が可能になる。これは画像処理ソフトウェアによって模倣されて提示され、必要に応じて模型頭部１のメモリ装置５に保存される。しかし同様に、同時に／又は単に演算ユニット９に保存されることもできる。画像処理ソフトウェアはコンピュータプログラム製品として、頭部Ｉでの実際のヘアカット経過を録画することなく、自身による参照髪型のシミュレーション生成のために形成されてよい。
【０１６４】
さらに、システムＩＩでの練習を１つ又は両方のカメラ１０又は１１で光学的に認知することができ、保存もできるとよい。人間の頭部Ｉでのヘアカット経過の認知も、システムＩＩでの練習による習作の認知もビデオ又は連続写真で実行される。
【０１６５】
頭部Ｉでの実際のヘアカット経過の認知及び録画は、システムＩＩでの練習による習作録画及び認知とは関係なく実施することができる。しかし同様に、同時の補足と録画も可能である。同時の手順によって後での観察時に、両方の経過を比較して分析することが可能になる。さらに、演算ユニット９によってシステムＩＩを設定することができる。例えば、参照髪型は追加的に保存するか又は他を削除することができる。さらに、保存した練習者の録画習作を削除したり再度再生したりすることもできる。特に多人数での実演目的で追加的な外部表示ユニット１２にも手順を伝送することができ、それによって追体験理解が多人数にも可能になる。
【０１６６】
カメラ１０及び／又は１１による録画の開始は、使用者が定義した任意の時点で、又はあらかじめプログラミングして、実行することができる。こうして、例えば、ヘアカット経過の固有のフェーズに依存して、自動的に又は使用者の手動により開始及び停止することもできる。
【０１６７】
これによって、ヘアカット経過又は練習による秀作の重要なフェーズが記録可能となる。そうすれば生成されたデータ量は最小化することができる。
【０１６８】
録画又は部分フェーズの削除又は個々の組み合わせのための録画の後処理もできるとよい。
【０１６９】
演算ユニット９によって少なくとも２つのシステムＩＩを制御又は設定することができるとよい。
【図１】
2010519991.tif 000003
【図２】
2010519991.tif 000004
【図３】
2010519991.tif 000005
【図４】
2010519991.tif 000006
【図５】
2010519991.tif 000007
【図６】
2010519991.tif 000008
【図７】
2010519991.tif 000009
【図８】
2010519991.tif 000010
【図９】
2010519991.tif 000011
【図１０】
2010519991.tif 000012
【図１１】
2010519991.tif 000013
【図１２】
2010519991.tif 000014
【図１３】
2010519991.tif 000015
【国際調査報告】
2010519991.tif 000016
2010519991.tif 000017
2010519991.tif 000018
2010519991.tif 000019
2010519991.tif 000020
2010519991.tif 000021